(57)【要約】【課題】カメラ本体に対する表示手段の装着自由度を広げること。【解決手段】デジタルカメラは、カメラ本体の前面に設けられる撮像光学系１１と、撮像光学系１１を通過した被写体像を撮像して撮像画像を出力する撮像手段１２と、撮像画像を表示する表示面３を有し、カメラ本体に着脱可能に装着される表示手段２と、表示手段２を、撮像光学系１１を隠すように、カメラ本体の前面に装着する第１装着手段と、表示手段２を、表示面を露出させるとともに、撮像光学系１１を隠さないように、カメラ本体に装着する第２装着手段と、を備える。【選択図】図１
2013255154.tif 000002
【特許請求の範囲】
【請求項１】
カメラ本体の前面に設けられる撮像光学系と、
前記撮像光学系を通過した被写体像を撮像して撮像画像を出力する撮像手段と、
前記撮像画像を表示する表示面を有し、前記カメラ本体に着脱可能に装着される表示手段と、
前記表示手段を、前記撮像光学系を隠すように、前記カメラ本体の前記前面に装着する第１装着手段と、
前記表示手段を、前記表示面を露出させるとともに、前記撮像光学系を隠さないように、前記カメラ本体に装着する第２装着手段と、
を備えることを特徴とするデジタルカメラ。
【請求項２】
請求項１に記載のデジタルカメラにおいて、
前記第１装着手段は、前記表示面が前記カメラ本体の前記前面に対向するように、前記表示手段を前記カメラ本体の前記前面に装着することを特徴とするデジタルカメラ。
【請求項３】
請求項１または２に記載のデジタルカメラにおいて、
前記第１装着手段および前記第２装着手段のいずれにより前記表示手段が前記カメラ本体に装着されているかを判別する判別手段と、
前記判別手段の判別結果に基づいて、前記カメラ本体を制御する制御手段と、
をさらに備えることを特徴とするデジタルカメラ。
【請求項４】
請求項３に記載のデジタルカメラにおいて、
前記制御手段は、前記第１装着手段により前記表示手段が前記カメラ本体に装着されていると前記判別手段が判別したとき、前記カメラの電源がオフになるように前記カメラ本体を制御することを特徴とするデジタルカメラ。
【請求項５】
請求項３または４に記載のデジタルカメラにおいて、
前記第２装着手段は、前記カメラ本体の前記前面に、前記撮像光学系を隠さないように前記表示手段を装着する第３装着手段を有し、
前記判別手段は、前記第１装着手段と、前記第３装着手段と、前記第３装着手段以外の前記第２装着手段とのいずれにより前記表示手段が前記カメラ本体に装着されているかを判別することを特徴とするデジタルカメラ。
【請求項６】
請求項５に記載のデジタルカメラにおいて、
前記第２装着手段は、前記カメラ本体の前記前面に対向する背面に、前記表示手段を装着する第４装着手段をさらに有し、
前記判別手段は、前記第１装着手段と、前記第３装着手段と、前記第４装着手段とのいずれにより前記カメラ本体に装着されているかを判別することを特徴とするデジタルカメラ。
【請求項７】
請求項５または６に記載のデジタルカメラにおいて、
前記第３装着手段は、前記表示手段を、前記表示面と前記カメラ本体の前記前面とが面平行となる第１の姿勢または第２の姿勢で装着し、
前記第２の姿勢は、前記表示面の向きが前記第１の姿勢と直交することを特徴とするデジタルカメラ。
【請求項８】
請求項７に記載のデジタルカメラにおいて、
前記判別手段は、前記表示手段が前記第３装着手段により前記カメラ本体に装着されていると判別するとき、前記表示手段が前記第１の姿勢と前記第２の姿勢とのいずれであるかをさらに判別し、
前記制御手段は、前記表示手段が前記第１の姿勢または前記第２の姿勢であると前記判別手段が判別したとき、その判別結果に基づいて前記撮像画像から前記表示面に表示する表示画像を抽出することを特徴とするデジタルカメラ。
【請求項９】
請求項８に記載のデジタルカメラにおいて、
前記判別手段は、前記第１の姿勢および前記第２の姿勢のそれぞれにおいて、前記表示手段の天地反転の有無をさらに判別し、
前記制御手段は、前記判別手段により前記天地反転有りが判別された場合と前記天地反転無しが判別された場合とで前記カメラ本体に対して異なる制御を行うことを特徴とするデジタルカメラ。
【請求項１０】
カメラ本体の前面に設けられる撮像光学系と、
前記撮像光学系を通過した被写体像を撮像して撮像画像を出力する撮像手段と、
前記撮像画像を表示する前記表示面を有し、前記カメラ本体に着脱可能に装着される表示手段と、
前記表示手段を、前記表示面を露出させるとともに、前記カメラ本体の背面に装着する第１装着手段と、
前記表示手段を、前記表示面を露出させるとともに、前記撮像光学系を隠すように前記カメラ本体の前面に装着する第２装着手段と、
前記表示手段を、前記表示面を露出させないで、前記撮像光学系を隠すように前記カメラ本体の前面に装着する第３装着手段と、
前記表示手段を、前記表示面を露出させるとともに、前記撮像光学系を隠さないように、前記カメラ本体の前面に装着する第４装着手段と、
前記第１装着手段、前記第２装着手段、前記第３装着手段、および前記第４装着手段のいずれにより前記表示手段が前記カメラ本体に装着されているかを判別する判別手段と、
前記判別手段の判別結果に基づいて、前記カメラ本体に対して異なる制御を行う制御手段と、
を備えることを特徴とするデジタルカメラ。
【発明の詳細な説明】
【技術分野】
【０００１】
本発明は、デジタルカメラに関する。
【背景技術】
【０００２】
表示モニタをデジタルカメラ本体に対して着脱自在に構成する技術が知られている（特許文献１参照）。
【先行技術文献】
【特許文献】
【０００３】
【特許文献１】特開２０１１−１０３７００号公報
【発明の概要】
【発明が解決しようとする課題】
【０００４】
従来技術では、カメラ本体の異なる位置に表示モニタを装着したい場合に対応できなかった。
【課題を解決するための手段】
【０００５】
本発明によるデジタルカメラは、カメラ本体の前面に設けられる撮像光学系と、撮像光学系を通過した被写体像を撮像して撮像画像を出力する撮像手段と、撮像画像を表示する表示面を有し、カメラ本体に着脱可能に装着される表示手段と、表示手段を、撮像光学系を隠すように、カメラ本体の前面に装着する第１装着手段と、表示手段を、表示面を露出させるとともに、撮像光学系を隠さないように、カメラ本体に装着する第２装着手段と、を備えることを特徴とする。
【発明の効果】
【０００６】
本発明によるデジタルカメラでは、カメラ本体に対する表示手段の装着自由度を広げることができる。
【図面の簡単な説明】
【０００７】
【図１】デジタルカメラの「通常使用状態」を説明する図であり、図１(a)は上面図、図１(b)は正面図である。
【図２】デジタルカメラの「非使用状態」を説明する図であり、図２(a)は上面図、図２(b)は正面図である。
【図３】デジタルカメラの「自分撮り使用状態」を説明する図であり、図３(a)は上面図、図３(b)は正面図である。
【図４】デジタルカメラの「自分撮り使用状態」の他の例を説明する図であり、図４(a)は上面図、図４(b)は正面図である。
【図５】デジタルカメラの構成を例示するブロック図である。
【図６】ＣＰＵが実行する制御処理の流れを説明するフローチャートである。
【図７】図７(a)は、横長の撮像素子で撮像される画像ａを例示する図であり、図７(b)は、トリミング表示させたライブビュー画像を例示する図である。
【図８】デジタルカメラの「再生使用状態」を説明する図であり、図８(a)は上面図、図８(b)は正面図である。
【図９】図３の「自分撮り使用状態」で液晶モニタ部の逆さ装着を説明する図である。
【図１０】図４の「自分撮り使用状態」で液晶モニタ部の逆さ装着を説明する図である。
【発明を実施するための形態】
【０００８】
以下、図面を参照して本発明を実施するための形態について説明する。本発明の一実施の形態によるデジタルカメラは、カメラ本体１に対して液晶モニタ部２が着脱自在に構成される。カメラ本体１の筐体にマグネットが設けられており、金属筐体で構成された液晶モニタ部２がマグネットの磁力によってカメラ本体１に吸着する。
【０００９】
図１は、デジタルカメラの「通常使用状態」を説明する図である。図１(a)は上面図であり、図１(b)は正面図である。「通常使用状態」において、ユーザーは、撮像光学系の開口部１１ａを被写体へ向け、液晶モニタ部２の液晶モニタ３をユーザー自身へ向け、液晶モニタ３に再生表示されるライブビュー画像を確認しながら被写体を撮影する。
【００１０】
「通常使用状態」では、カメラ本体１の背面側から図１(a)の矢印方向に液晶モニタ部２が装着される。カメラ本体１の背面側に設けられたマグネット４１および４２に、液晶モニタ部２が液晶モニタ３を露出させる向きに吸着する。図１(b)に例示するように、カメラ本体１の前面側には撮像光学系の開口部１１ａと、後述するマグネット３１〜３３が設けられている。カメラ本体１の上面には、レリーズボタン２０ｃが設けられる。
【００１１】
図２は、デジタルカメラの「非使用状態」を説明する図である。図２(a)は上面図であり、図２(b)は正面図である。「非使用状態」では、図２(a)に例示するように、カメラ本体１の前面側から矢印方向に液晶モニタ部２が装着される。カメラ本体１の前面側に設けられたマグネット３１および３３に、液晶モニタ部２が液晶モニタ３を露出させない向き（液晶モニタ３をカメラ本体１に対向させる向き）に吸着する。
【００１２】
図２(b)に例示するように、カメラ本体１の撮像光学系の開口部１１ａは液晶モニタ部２により覆われて保護され、液晶モニタ部２の液晶モニタ３は外部へ露出しないように保護される。
【００１３】
図３は、デジタルカメラの「自分撮り使用状態」を説明する図である。図３(a)は上面図であり、図３(b)は正面図である。「自分撮り使用状態」とは、ユーザーが自らを撮影する使用状態のことをいう。「自分撮り使用状態」において、ユーザーは、撮像光学系の開口部１１ａおよび液晶モニタ部２の液晶モニタ３をそれぞれユーザー自身へ向け、液晶モニタ３に再生表示されるライブビュー画像を確認しながら自らを撮影する。
【００１４】
「自分撮り使用状態」では、図３(a)に例示するように、カメラ本体１の前面に設けられたマグネット３１および３２に、液晶モニタ部２が液晶モニタ３を露出させる向きに吸着する。また、図３(b)に例示するように、カメラ本体１に対して液晶モニタ部２をずらして吸着させるので、液晶モニタ部２によって開口部１１ａや近接するフラッシュ発光窓が覆われることがない。
【００１５】
図４は、デジタルカメラの「自分撮り使用状態」の他の例を説明する図である。図４(a)は上面図であり、図４(b)は正面図である。図４(a)に例示するように、液晶モニタ部２が、カメラ本体１の前面側からカメラ本体１の前面に設けられたマグネット３１および３２に、液晶モニタ３を露出させる向きに吸着する。
【００１６】
図４の「自分撮り使用状態」は、液晶モニタ部２が横長方向に装着される図３の「自分撮り使用状態」に比べて、液晶モニタ部２が縦長方向に装着される点が異なるが、図４(b)に例示するように、カメラ本体１に対して液晶モニタ部２をずらして装着させるので、図３の「自分撮り使用状態」と同様に、液晶モニタ部２によって開口部１１ａや近接するフラッシュ発光窓が覆われることがない。
【００１７】
上述したデジタルカメラの詳細について、ブロック構成を例示する図５を参照して説明する。図５において、撮像光学系１１は、撮像素子１２の撮像面に被写体像を結像させる。撮像光学系１１は、開口部１１ａから入射した被写体光束を図１(b)における下方向へ屈折させる屈折光学系（図１(a)）として構成されている。
【００１８】
ＣＰＵ１６は、シャッターボタン２０ｃ（図１）の半押し操作に連動して半押しスイッチ２０ａがオンすると、オートフォーカス（ＡＦ）処理を行わせて、撮像光学系１１を構成するフォーカシングレンズ（不図示）を光軸方向（図５において矢印方向）に進退移動させる。これにより、撮像光学系１１の焦点位置が自動調節される。フォーカシングレンズ（不図示）の駆動は、ＣＰＵ１６から指示を受けたレンズ駆動部２１が行う。
【００１９】
撮像素子１２は、ＣＭＯＳイメージセンサなどによって構成される。撮像素子１２は、撮像面上に結像された被写体像を撮像する。撮像素子１２から出力された撮像信号は、Ａ／Ｄ変換部１３においてアナログ信号からデジタル信号に変換される。画像処理部１４は、デジタル画像信号に対して所定の画像処理を行う。
【００２０】
通信回路１５は、液晶モニタ部２内の通信回路４との間で無線通信を行い、液晶モニタ３の表示制御に必要な信号を液晶モニタ部２側へ送信するとともに、液晶モニタ部２から送信される操作信号および姿勢検出信号を受信する。
【００２１】
液晶モニタ３、通信回路４、および姿勢センサ５は、液晶モニタ部２内に構成される。液晶モニタ３は、カメラ本体１から無線送信された指示に応じて表示のオン／オフを切り替える。表示内容は、画像や操作アイコン、操作メニューなどである。液晶モニタ３の表示面には、タッチ操作部材３ａが積層されている。タッチ操作部材３ａは、表示画面上のタッチ位置を示す操作信号を通信回路４へ送出する。これにより、デジタルカメラに対する操作をタッチ操作で行える。
【００２２】
姿勢センサ５は、例えば重力方向を検出し、検出信号を通信回路４へ送出する。図３(b)および図４(b)に示すように、姿勢センサ５が重力を検出する方向（Ａ〜Ｄのいずれか）は、カメラ本体１に装着される液晶モニタ部２の向きに応じて異なるので、姿勢センサ５の検出信号に基づいて液晶モニタ部２の装着方向（横長方向／縦長方向）を判定できる。このため、姿勢センサ５による検出信号を姿勢検出信号と呼ぶ。
【００２３】
通信回路４は、カメラ本体１の通信回路１５との間で無線通信を行い、通信回路１５から送信された液晶モニタ３の表示制御に必要な信号を受信するとともに、タッチ操作部材３ａからの操作信号と姿勢センサ５による姿勢検出信号とを通信回路１５へ送信する。
【００２４】
センサ２２は、例えば５つの圧力検出センサ２２−１〜２２−５によって構成される。圧力検出センサ２２−１はマグネット３１の近傍に設けられ、マグネット３１が対象物（本例では液晶モニタ部２）を吸着したか否かを検出する信号をＣＰＵ１６へ送出する。圧力検出センサ２２−２はマグネット３２の近傍に設けられ、マグネット３２が対象物（本例では液晶モニタ部２）を吸着したか否かを検出する信号をＣＰＵ１６へ送出する。圧力検出センサ２２−３はマグネット３３の近傍に設けられ、マグネット３３が対象物（本例では液晶モニタ部２）を吸着したか否かを検出する信号をＣＰＵ１６へ送出する。
【００２５】
圧力検出センサ２２−４はマグネット４１の近傍に設けられ、マグネット４１が対象物（本例では液晶モニタ部２）を吸着したか否かを検出する信号をＣＰＵ１６へ送出する。圧力検出センサ２２−５はマグネット４２の近傍に設けられ、マグネット４２が対象物（本例では液晶モニタ部２）を吸着したか否かを検出する信号をＣＰＵ１６へ送出する。
【００２６】
フラッシュメモリ１７は、ＣＰＵ１６が実行するプログラムや、実行処理に必要なデータなどを格納する。フラッシュメモリ１７が格納するプログラムやデータの内容は、ＣＰＵ１６からの指示によって追加、変更が可能に構成されている。
【００２７】
ＣＰＵ１６は、例えばバッファメモリ１８を作業領域として制御プログラムを実行し、カメラ各部に対する種々の制御を行う。画像処理部１４は、デジタル画像信号に対する画像処理以外に、画像信号を格納した所定形式の画像ファイル（例えば Exif ファイル）を生成する。記録再生部１９は、ＣＰＵ１６からの指示に基づいて画像ファイルをメモリカード５０に記録（保存）し、また、メモリカード５０に記録（保存）されている画像ファイルを読み出す。
【００２８】
メモリカード５０は、図示しないカードスロットに着脱自在に取り付けられる記録媒体である。ＣＰＵ１６は、記録再生部１９によってメモリカード５０から読み出された画像ファイルに基づいて、液晶モニタ３に撮影画像を再生表示させる。
【００２９】
操作部材２０は、半押しスイッチ２０ａや、シャッターボタン２０ｃの全押し操作に伴ってオンする全押しスイッチ２０ｂ、およびモード切替えスイッチなどを含み、各部材の操作に伴う操作信号をＣＰＵ１６へ送出する。
【００３０】
半押しスイッチ２０ａからのオン信号（半押し操作信号）は、シャッターボタン２０ｃが通常ストロークの半分程度まで押し下げ操作されると出力され、半ストロークの押し下げ操作解除で出力が解除される。全押しスイッチ２０ｂからのオン信号（全押し操作信号）は、シャッターボタン２０ｃが通常ストロークまで押し下げ操作されると出力され、通常ストロークの押し下げ操作が解除されると出力が解除される。
【００３１】
＜液晶モニタ部の装着状態に基づく切替え制御＞
ＣＰＵ１６は、液晶モニタ部２の装着状態を検出し、検出結果に応じて以下のように切り替え制御する。図６は、ＣＰＵ１６が実行する制御処理の流れを説明するフローチャートである。ＣＰＵ１６は、カメラ本体１に図示しない電池が装填されると図６による処理を繰り返し実行する。
【００３２】
図６のステップＳ１において、ＣＰＵ１６は「非使用状態」か否かを判定する。ＣＰＵ１６は、図２に例示した液晶モニタ部２の装着を検出した場合に「非使用状態」と判断し、ステップＳ１を肯定判定して当該処理を繰り返す。ＣＰＵ１６は、図２に例示した液晶モニタ部２の装着を検出しない場合には、ステップＳ１を否定判定してステップＳ２へ進む。
【００３３】
ＣＰＵ１６は、検出センサ２２−１および検出センサ２２−３によってそれぞれマグネット吸着が検出され、かつ検出センサ２２−２によってマグネット吸着が検出されない場合を「非使用状態」と判断する。
【００３４】
ステップＳ２において、ＣＰＵ１６は、不図示の電源回路へ指示を送り、カメラ本体１の各部へ通電を開始させるとともに、通信回路１５を介して液晶モニタ部２へ表示制御開始信号を送る。これにより、液晶モニタ部２において不図示の充電池から各部へ通電が開始され、液晶モニタ３の表示がオンされる。
【００３５】
ステップＳ３において、ＣＰＵ１６は、「通常使用状態」か否かを判定する。ＣＰＵ１６は、図１に例示した液晶モニタ部２の装着を検出した場合に「通常使用状態」と判断し、ステップＳ３を肯定判定してステップＳ４へ進む。ＣＰＵ１６は、図１に例示した液晶モニタ部２の装着を検出しない場合には、ステップＳ３を否定判定してステップＳ５へ進む。
【００３６】
ＣＰＵ１６は、検出センサ２２−４および検出センサ２２−５によってそれぞれマグネット吸着が検出される場合を「通常使用状態」と判断する。ステップＳ４において、ＣＰＵ１６は、通常撮影処理を行ってステップＳ３へ戻る。通常撮影処理は、シャッターボタン２０ｃの全押し操作に応じて撮影を行い、画像ファイルをメモリカード５０に記録（保存）する。
【００３７】
ステップＳ５において、ＣＰＵ１６は、「自分撮り使用状態」か否かを判定する。ＣＰＵ１６は、図３に例示した液晶モニタ部２の装着を検出した場合に「自分撮り使用状態」と判断し、ステップＳ５を肯定判定してステップＳ６へ進む。ＣＰＵ１６は、図３に例示した液晶モニタ部２の装着を検出しない場合には、ステップＳ５を否定判定してステップＳ７へ進む。
【００３８】
ＣＰＵ１６は、検出センサ２２−１および検出センサ２２−２によってそれぞれマグネット吸着が検出される一方で検出センサ２２−３によってマグネット吸着が検出されない場合であって、かつ重力方向が「Ｃ方向」である場合に「自分撮り使用状態」と判断する。ステップＳ６において、ＣＰＵ１６は、自分撮り撮影処理を行ってステップＳ３へ戻る。自分撮り撮影処理では、通常撮影処理の場合と比べて、液晶モニタ３に再生表示するライブビュー画像の左右を反転させる点が異なる。
【００３９】
なお、ステップＳ５において、検出センサ２２−１および検出センサ２２−２によってそれぞれマグネット吸着が検出される一方で検出センサ２２−３によってマグネット吸着が検出されない場合であって、かつ重力方向が「Ｂ方向」である場合には、ＣＰＵ１６は、図４に例示した「自分撮り使用状態」と判断する。この場合のＣＰＵ１６は、以下のように、トリミング機能をオンさせてステップＳ６の自分撮り撮影処理を行う。
【００４０】
具体的に説明すると、図４に例示した「自分撮り使用状態」では撮像素子１２の撮像面が横長であるのに対し、液晶モニタ３の表示面が縦長となるので、両者の長手方向が不一致となる。図７(a)は、撮像素子１２で撮像される横長画像１２ａを例示する図である。仮に、横長画像１２ａに基づくライブビュー画像を縦長に装着した液晶モニタ部２の液晶モニタ３に表示させた場合、ライブビュー画像はユーザーにとって９０度横向きとなるので、見づらくなってしまう。
【００４１】
そこで、ＣＰＵ１６は、撮像素子１２で撮像された横長画像１２ａのうち主要被写体を含む縦長領域１２ｂを抽出して、領域１２ｂの長辺方向を液晶モニタ３の表示領域の長辺方向に合わせてリサイズし、さらに左右を反転させて液晶モニタ３に表示させる。図７(b)は、このようにトリミング表示させたライブビュー画像を例示する図である。
【００４２】
図７(b)によれば、ユーザーは、縦長に装着した液晶モニタ部２の液晶モニタ３に大きく表示された自らの鏡像を確認することができる。このように、ユーザーにとって見やすく違和感のない画像を表示できる。ＣＰＵ１６は、シャッターボタン２０ｃの全押し操作（もしくはタッチ操作部材３ａのタッチ操作、または不図示のリモコン信号）に応じて撮影を行い、撮像素子１２で撮像された画像１２ａのうち領域１２ｂに相当する画像を抽出して画像ファイルを生成し、メモリカード５０に記録（保存）する。
【００４３】
ステップＳ７において、ＣＰＵ１６は、「再生使用状態」か否かを判定する。図８は、デジタルカメラの「再生使用状態」を説明する図である。図８(a)は上面図であり、図８(b)は正面図である。「再生使用状態」では、図８(a)に例示するように、カメラ本体１の前面側から矢印方向に液晶モニタ部２が装着される。カメラ本体１の前面側に設けられたマグネット３１、３２および３３に、液晶モニタ部２が液晶モニタ３を露出させる向きに吸着する。
【００４４】
図８(b)に例示するように、カメラ本体１の撮像光学系の開口部１１ａは液晶モニタ部２により覆われて保護され、液晶モニタ部２の液晶モニタ３は、再生画像の鑑賞が行えるように外部へ露出する。
【００４５】
ＣＰＵ１６は、図８に例示した液晶モニタ部２の装着を検出した場合に「再生使用状態」と判断し、図６のステップＳ７を肯定判定してステップＳ８へ進む。ＣＰＵ１６は、図８に例示した液晶モニタ部２の装着を検出しない場合には、ステップＳ７を否定判定してステップＳ９へ進む。
【００４６】
ＣＰＵ１６は、検出センサ２２−１、検出センサ２２−２、および検出センサ２２−３によってそれぞれマグネット吸着が検出され、かつ重力方向が「Ｃ方向」である場合に「再生使用状態」と判断する。ステップＳ８において、ＣＰＵ１６は、再生処理を行ってステップＳ３へ戻る。再生処理では、記録再生部１９によってメモリカード５０から読み出された画像ファイルに基づいて、液晶モニタ３に撮影画像を再生表示する。
【００４７】
ステップＳ９において、ＣＰＵ１６は「非使用状態」か否かを判定する。ＣＰＵ１６は、図２に例示した液晶モニタ部２の装着を検出した場合に「非使用状態」と判断し、ステップＳ９を肯定判定してステップＳ１０へ進む。ＣＰＵ１６は、図２に例示した液晶モニタ部２の装着を検出しない場合には、ステップＳ９を否定判定してステップＳ３へ戻る。
【００４８】
ステップＳ１０において、ＣＰＵ１６は、不図示の電源回路へ指示を送り、カメラ本体１の各部へ通電を終了させるとともに、通信回路１５を介して液晶モニタ部２へ表示制御終了信号を送る。これにより、液晶モニタ部２において各部への通電が終了され、液晶モニタ３の表示がオフされる。
【００４９】
以上説明した実施形態によれば、次の作用効果が得られる。
（１）デジタルカメラは、カメラ本体１の前面に設けられる撮像光学系１１ａと、撮像光学系１１ａを通過した被写体像を撮像して撮像画像を出力する撮像素子１２と、撮像画像を表示する表示面３を有し、カメラ本体１に着脱可能に装着される液晶モニタ部２と、液晶モニタ部２を、撮像光学系１１ａを隠すように、カメラ本体１の前面に装着するマグネット３１〜３３と、液晶モニタ部２を、表示面３を露出させるとともに、撮像光学系１１ａを隠さないように、カメラ本体１に装着するマグネット３１〜３２、４１〜４２と、を備えるようにしたので、カメラ本体１に対する液晶モニタ部２の装着自由度を広げることができる。
【００５０】
（２）上記（１）のデジタルカメラにおいて、マグネット３１〜３３は、表示面３がカメラ本体１の前面に対向するように、液晶モニタ部２をカメラ本体１の前面に装着するので、液晶モニタ部２を撮像光学系１１ａの保護部材にすることができる。
【００５１】
（３）上記（１）、（２）のデジタルカメラにおいて、マグネット３１〜３３およびマグネット３１〜３２、４１〜４２のいずれにより液晶モニタ部２がカメラ本体１に装着されているかを判別するＣＰＵ１６と、ＣＰＵ１６の判別結果に基づいて、カメラ本体１を制御するＣＰＵ１６と、をさらに備えるようにしたので、例えば、液晶モニタ部２の装着状態に応じた異なる制御を行うことができる。
【００５２】
（４）上記（３）のデジタルカメラにおいて、ＣＰＵ１６は、マグネット３１〜３３により液晶モニタ部２がカメラ本体１に装着されているとＣＰＵ１６が判別したとき、カメラの電源がオフになるようにカメラ本体１を制御するので、自動的に電源オフさせることができる。
【００５３】
（５）上記（３）、（４）のデジタルカメラにおいて、マグネット３１〜３２、４１〜４２は、カメラ本体１の前面に、撮像光学系１１ａを隠さないように液晶モニタ部２を装着するマグネット３１〜３２を有し、ＣＰＵ１６は、マグネット３１〜３３と、マグネット３１〜３２と、マグネット４１〜４２とのいずれにより液晶モニタ部２がカメラ本体１に装着されているかを判別するので、適切に液晶モニタ部２の装着状態を検出できる。
【００５４】
（６）上記（５）のデジタルカメラにおいて、マグネット３１〜３２、４１〜４２は、カメラ本体１の前面に対向する背面に、液晶モニタ部２を装着するマグネット４１〜４２をさらに有し、ＣＰＵ１６は、マグネット３１〜３３と、マグネット３１〜３２と、マグネット４１〜４２とのいずれによりカメラ本体１に装着されているかを判別するので、適切に液晶モニタ部２の装着状態を検出できる。
【００５５】
（７）上記（５）、（６）のデジタルカメラにおいて、マグネット３１〜３２は、液晶モニタ部２を、表示面３とカメラ本体１の前面とが面平行となる第１の姿勢（図３）または第２の姿勢（図４）で装着し、第２の姿勢（図４）は、表示面３の向きが第１の姿勢（図３）と直交するので、カメラ本体１に対する液晶モニタ部２の装着自由度を広げることができる。
【００５６】
（８）上記（７）のデジタルカメラにおいて、ＣＰＵ１６は、液晶モニタ部２がマグネット３１〜３２によりカメラ本体１に装着されていると判別するとき、液晶モニタ部２が第１の姿勢（図３）と第２の姿勢（図４）とのいずれであるかをさらに判別し、ＣＰＵ１６は、液晶モニタ部２が第１の姿勢（図３）または第２の姿勢（図４）であるとＣＰＵ１６が判別したとき、その判別結果に基づいて撮像画像から表示面３に表示する表示画像を抽出するので、ユーザーにとって違和感のない画像を表示できる。
【００５７】
（９）デジタルカメラは、カメラ本体１の前面に設けられる撮像光学系１１ａと、撮像光学系１１ａを通過した被写体像を撮像して撮像画像を出力する撮像素子１２と、撮像画像を表示する表示面３を有し、カメラ本体１に着脱可能に装着される液晶モニタ部２と、液晶モニタ部２を、表示面３を露出させるとともに、カメラ本体１の背面に装着するマグネット４１、４２と、液晶モニタ部２を、表示面３を露出させるとともに、撮像光学系１１ａを隠すようにカメラ本体１の前面に装着するマグネット３１、３２、３３と、液晶モニタ部２を、表示面３を露出させないで、撮像光学系１１ａを隠すようにカメラ本体１の前面に装着するマグネット３１、３３と、液晶モニタ部２を、表示面３を露出させるとともに、撮像光学系１１ａを隠さないように、カメラ本体１の前面に装着するマグネット３１、３２と、マグネット４１、４２と、マグネット３１、３２、３３と、マグネット３１、３３のいずれにより液晶モニタ部２がカメラ本体１に装着されているかを判別するＣＰＵ１６と、ＣＰＵ１６の判別結果に基づいて、カメラ本体１に対して異なる制御を行うＣＰＵ１６と、を備えるので、液晶モニタ部２の装着状態に応じた異なる制御を行うことができる。
【００５８】
（変形例１）
上述したステップＳ５では、検出した重力方向が「Ｃ方向」である場合に図３の「自分撮り使用状態」と判断する例を説明した。これは、液晶モニタ部２における液晶モニタ３の周囲の長辺に沿って横位置上マーク２ａを付しておき、横位置上マーク２ａが上に位置する横長方向で液晶モニタ部２が装着されることを前提としたものである。
【００５９】
もし、図９に例示するように、横位置上マーク２ａが下に位置する横長方向で液晶モニタ部２が装着された場合は、重力方向が「Ａ方向」に検出されることになる。この場合のＣＰＵ１６は、「自分撮り使用状態」と判断した上で液晶モニタ３に表示させる画面の上下を反転させる。これにより、ユーザーが液晶モニタ部２の装着する向きを誤ったとしても、ユーザーにとって違和感のない画像を表示させることができる。
【００６０】
（変形例２）
同様に、上述したステップＳ５において、検出した重力方向が「Ｂ方向」である場合には図４の「自分撮り使用状態」と判断する例を説明した。これは、液晶モニタ部２における液晶モニタ３の周囲の短辺に沿って縦位置上マーク２ｂを付しておき、縦位置上マーク２ｂが上に位置する縦長方向で液晶モニタ部２が装着されることを前提としたものである。
【００６１】
もし、図１０に例示するように、縦位置上マーク２ｂが下に位置する縦長方向で液晶モニタ部２が装着された場合は、重力方向が「Ｄ方向」に検出されることになる。この場合のＣＰＵ１６は、「自分撮り使用状態」と判断した上で液晶モニタ３に表示させる画面の上下を反転させる。これにより、ユーザーが液晶モニタ部２の装着する向きを誤ったとしても、ユーザーにとって違和感のない画像を表示させることができる。
【００６２】
（変形例３）
上述したステップＳ７では、検出した重力方向が「Ｃ方向」である場合に「再生使用状態」と判断する例を説明した。これは、横位置上マーク２ａが上に位置する横長方向で液晶モニタ部２が装着されることを前提としたものである。もし、横位置上マーク２ａが下に位置する横長方向で液晶モニタ部２が装着された場合は、重力方向が「Ａ方向」に検出されることになる。この場合のＣＰＵ１６は、「再生使用状態」と判断した上で液晶モニタ３に表示させる画面の上下を反転させる。これにより、ユーザーが液晶モニタ部２の装着する向きを誤ったとしても、ユーザーにとって違和感のない画像を表示させることができる。
【００６３】
（変形例４）
変形例１および変形例２において、液晶モニタ３に表示させる画面の上下を反転させることに加えて、カスタム設定内容を有効にするようにしてもよい。液晶モニタ３に表示させる画面の上下を反転させない場合は、カスタム設定内容を無効にする。カスタム設定は、事前に登録した内容を一度に設定することをいう。登録項目は、例えば、測光方法、顔認識ＡＦエリア選択、調光補正、美肌処理、フラッシュ発光有無、ホワイトバランス設定などである。
【００６４】
変形例４によれば、ユーザーが液晶モニタ部２の装着する向きを意図的に上下反転させることにより、例えばカスタム設定内容のオン／オフのように、機能のオン／オフを液晶モニタ部２の装着の向きによって切り替えることができる。
【００６５】
（変形例５）
以上の説明では、マグネット３１〜３３、４１および４２をカメラ本体１に設ける例を説明したが、マグネットを液晶モニタ部２に設ける構成にしてもよい。
【００６６】
（変形例６）
上記実施形態では、姿勢センサ５を液晶モニタ部２のみに設ける例を説明したが、カメラ本体１側に設けてもよく、液晶モニタ部２およびカメラ本体１の双方に設ける構成にしてもよい。
【００６７】
以上の説明はあくまで一例であり、上記の実施形態の構成に何ら限定されるものではない。
【符号の説明】
【００６８】
１…カメラ本体
２…液晶モニタ部
２ａ…横位置上マーク
２ｂ…縦位置上マーク
３…液晶モニタ
３ａ…タッチ操作部材
４、１５…通信回路
５…姿勢センサ
１１…撮像光学系
１１ａ…開口部
１２…撮像素子
１６…ＣＰＵ
２０…操作部材
２２(22-1〜22-5)…圧力検出センサ
３１〜３３、４１、４２…マグネット
【図１】
2013255154.tif 000003
【図２】
2013255154.tif 000004
【図３】
2013255154.tif 000005
【図４】
2013255154.tif 000006
【図５】
2013255154.tif 000007
【図６】
2013255154.tif 000008
【図７】
2013255154.tif 000009
【図８】
2013255154.tif 000010
【図９】
2013255154.tif 000011
【図１０】
2013255154.tif 000012